(57)【要約】【課題】  便座へ配設されるコードを隠蔽することにより外観を良好にし、かつ前記機能部のケーシングを外すことなく、前記便座を前記機能部より取り外すことを可能とする。【解決手段】  本発明は、ヒータ、便座上ケース及び便座下ケース等からなる中空構造の便座において、前記便座後方に開口部を設けることで機能部より延出され、一端をヒータ等を内蔵する便座の回動中心に係止めして配設される配線コードと前記便座の開口部に係合するブロックを設けたことにより、前記ブロックは脱着が自由となり、前記配線コードと前記便座との接続部を前記便座の内部に収納することが可能となり、前記便座を前記機能部より脱着可能とした。【選択図】  図２
2005102844.tif 000002
【特許請求の範囲】
【請求項１】
便器本体に取付けられ、ヒータ等を内蔵する便座と前記便座を制御する制御部を有する機能部を内蔵したケーシングと、前記ケーシングより前記便座に配設される配線コードとから成るトイレ装置において、
前記便座に開口部を設けるとともに、前記配線コードの一端に、該配線コードを前記開口部に係止め可能な円形状の溝を設け、かつ前記開口部に係合するブロックを設けたことを特徴とするトイレ装置。
【請求項２】
請求項１記載のトイレ装置において、前記便座の開口部に前記ブロックがスライド可能なリブを設けたことを特徴としたトイレ装置。
【請求項３】
請求項１または２に記載のトイレ装置において、前記便座に設けられたコネクタと、前記便座に内蔵されるヒータ及び前記便座の温度を制御する温度センサとの間を各々に接続するリード線を設けるとともに、前記リード線は前記温度センサに接続するリード線を長くしたことを特徴とするトイレ装置。
【請求項４】
請求項３記載のトイレ装置において、前記便座を少なくとも便座上ケース、便座下ケースにて構成するとともに、前記便座上ケースもしくは前記便座下ケースの少なくともどちらかに該便座内に接続しているリード線をガイドし配設する突設構造を設けたことを特徴とするトイレ装置。
【発明の詳細な説明】
【技術分野】
【０００１】
本発明は、ヒータ等内蔵する便座と、機能部を内蔵するケーシングとの間をコードで接続したトイレ装置に係わり、特にコードを隠蔽して外観を良好にし、かつ便座を機能部より脱着可能にした好適なトイレ装置に関する発明である。
【背景技術】
【０００２】
従来のヒータ等を内蔵する便座はヒータへ電力を供給するコード（以下、便座コードという）にはブッシュが具備され、前記便座に係止めして引き出され、また機能部を内蔵するケーシングへと配設されていた（例えば、特許文献１参照）。
このような場合、前記便座コードが外部に露出しており、前記便座コードが汚れる等トイレ装置全体として外観が良くないことがあった。またメンテナンス等にて便座の交換をする時には前記ケーシング上を外して制御部より前記便座コードを取り外す必要がある等の問題があった。
【０００３】
また、ヒータを内蔵する便座と本体（機能部）内部にある前記ヒータを制御する装置とを接続するリード線を有し、便座・便ふたを回動する軸の中心に貫通する穴を設け、前記便座と前記本体（機能部）とを接続する前記リード線を回動軸の貫通穴に配線するとと共に、前記本体（機能部）に前記回動軸を前記便座により圧入固定したことを特徴としているものもある（例えば、特許文献２参照）。
しかし、この場合も前記便座を取り外す際には前記ケーシング上を外して前記制御部より前記便座コードを取り外す必要があり、また構造上前記便ふたを前記回動軸に固定する位置は前記便座と前記ケーシングの間にある必要があり、前記ケーシング・便座・便ふた等デザイン上の規制がある等の問題があった。
【特許文献１】特開２００２−２９４７９６号公報（第２１頁、第６図）
【特許文献２】特公平６−４６９７３号公報（第７頁、第１図）
【発明の開示】
【発明が解決しようとする課題】
【０００４】
本発明は、上記問題を解決するためになされたもので、本発明の課題は、外観を良好にする為に前記コードを隠蔽しつつ、かつ前記ケーシングを外すことなく前記便座を前記ケーシングより取り外すことでを可能とすることである。
【課題を解決するための手段】
【０００５】
上記目的を達成するために請求項１記載の発明のよれば、ヒータ等を内蔵する便座と前記便座を制御する制御部を有する機能部を内蔵したケーシングと、前記ケーシングより前記便座に配設される配線コードとから成るトイレ装置において、前記便座に開口部を設けるとともに、前記配線コードの一端に、前記配線コードを前記開口部に係止め可能な円形状の溝を設け、かつ前記開口部に係合するブロックを設けたことにより、前記配線コードと前記便座との接続部を前記便座内部に収納することが可能となり、前記便座は前記機能部より脱着可能となるトイレ装置を提供することを可能とした。
【０００６】
また、請求項２記載の発明のよれば、請求項１記載のトイレ装置において、前記便座の開口部に前記ブロックがスライド可能なリブを設けたことにより、前記ブロックが前記便座の開口部に良好に挿入可能となるトイレ装置を提供することを可能とした。
【０００７】
また、請求項３記載の発明のよれば、前記便座に設けられたコネクタと、前記便座に内蔵されるヒータ及び前記便座の温度を制御する温度センサとの間を各々に接続するリード線を設けるとともに、前記リード線は前記温度センサに接続するリード線を長くしたことにより、前記便座に接続している前記配線コードに過度な荷重が加わって、前記便座に係合していた前記配線コードの一端が前記便座より外れた時、前記便座の開口部に前記ブロックは固定されたままであり、過度な荷重により前記配線コードに接続されている前記便座のリード線が引き出され、前記配線コードの一端が係合していた部分に、先に温度センサに接続されている前記コネクタが引き止められることにより、前記温度センサに接続されているリード線が断線し、前記制御部により断線が検知可能であり、前記ヒータへの通電を停止することで安全なトイレ装置を提供することを可能とした。
【０００８】
また、請求項４記載の発明のよれば、前記便座を少なくとも便座上ケース、便座下ケースにて構成するとともに、前記便座上ケースもしくは前記便座下ケースの少なくともどちらかに該便座内に接続しているリード線をガイドし配設する突設構造を設けたことにより、前記ブロックを取り外して前記便座内に収納されていた前記リード線を引き出す時に、前記リード線は前記突設構造により一方向にのみ引張られ、前記リード線が前記突設構造、前記便座内部の後方壁面及び、前記開口部を結ぶ最短の距離になった時、前記リード線が張るので、引き出す長さが感知でき、良好にメンテナンスを実施可能とするトイレ装置を提供することを可能とした。
【発明の効果】
【０００９】
本発明によれば、外観を良好にする為に前記コードを隠蔽しつつ、かつ前記ケーシングを外すことなく前記便座を前記ケーシングより取り外すことが可能であり、便座交換等のメンテナンス時に作業が良好となり、かつ前記便座に過度な力が加わっても安全にヒータへの通電を停止することが可能であるという効果がある。
【発明を実施するための最良の形態】
【００１０】
以下、本発明の実施例を図１により説明する。
図１において、トイレ内に設置した便器本体の上面後背部に据え付けた、本発明のトイレ装置１の斜視図であり、便ふた２、便座３を回動し、左側のカバー１３を回動した状態であり、前記便座３とトイレ装置１の機能部との間に配設される配線コード４がみえる。
【００１１】
図２において、本発明のトイレ装置１の斜視図であり、便ふた２、便座３を回動した状態であり、カバー１３は回動しておらず閉状態であり、前記カバー１３により、配線コード４は隠蔽されている。
１１は前記トイレ装置１において、人体局部に対し洗浄水を噴射するための機能部等を収納したケーシング１１であり、前記ケーシング１１の前面には、傾斜面１１ａが形成されている。前記傾斜面１１ａの左右両端側には、一対の突起１１ｂが上方に向けて突設されている。
【００１２】
図１、３において、１２は前記ケーシング１１の傾斜面１１ａに配した突起１１ｂに挿脱自在に取付けられるヒンジブロック１２で、上部には便座３を回動自在に支持する支持部の一端を支持する孔１２ａを設けており、下部には前記突起１１ｂと嵌合する凹孔１２ｂを設けている。
【００１３】
図１、２、４に示すように前記ヒンジブロック１２の外周には前記支持部と同軸にて回動可能に取付けたカバー１３を設けている。前記カバー１３の内面側に設けたフック１３ａは前記突起１１ｂの下方に設けた溝形状１１ｃに係合させている。従って前記カバー１３を回動させることで前記溝形状１１ｃに係合していた前記フック１３ａが前記溝形状１１ｃより外れ、前記ヒンジブロック１２が前記ケーシング１１より挿脱自在となる。左側の前記カバー１３は前記ヒンジブロック１２を覆うとともに、前記配線コード４を隠蔽している為、右側の前記カバー１３よりも幅が大きくなっている。
【００１４】
図５において、前記便座３の後方には前記配線コード４と前記ブロック５が係合する開口部３ａ設けられている。前記開口部３ａの上部には前記便座を回動可能としつつ前記配線コード４が前記便座３の回動には追従しない為に円形状３ｃとしている。また前記配線コード４の一端には断面を円形状とする溝４ａが設けられており、前記便座後方の開口部上部の円形状３ｃと係合し、係止めしている。また前記開口部３ａの周囲には段差３ｂを設けており、前記開口部上部の円形状３ｃを除いた前記開口部３ａに係合する前記ブロック５の外観面５ａを前記開口部３ａよりひとまわり大きい形状として、前記段差３ｂに係合して外的要因となる水等の浸入を良好に阻止する。
前記ブロック５はゴム等の弾性材料としており、前記ブロック５が係合する前記開口部３ａの下部の側面に前記ブロック５をスライド可能とするリブ３ｄを設けている。
【００１５】
図６に示すように、前記ブロック５には前記リブ３ｄに係合する溝形状５ｂが設けられており、前記ブロック５が良好に挿入可能としつつ、容易に外すことができない構造となる。
【００１６】
また図７において示すように、便座下ケース３ｑは前記ブロック５が容易に外れることがなく、水等の浸入を良好に阻止し、かつ外観を良好とする為、前記ブロック５の下面を覆う構造としている。
【００１７】
前記ブロック５は前記便座上・下ケース３ｐ、３ｑにより４方を囲まれており、前記便座開口部３ａに挿入するには、前記リブ３ｄは前記開口部３ａの側面の一部に設け、下端まではリブ形状がない構造としている。しかし下端に前記リブ形状３ｄがないため、前記ブロック５は前記便座３より抜けやすく不安定になるので、前記便座３と係合する側面に係合する前記ブロック５の側面には突起５ｃを設け、容易には抜けることなくかつ挿入した時にクリック感があり、良好な組立性を得ている。
【００１８】
しかし、メンテナンス等を実施する際に、前記便座３をトイレ装置１より取り外す為に前記ブロック５を前記便座３から取り外して前記配線コード４と前記ヒータ６等の負荷側と接続している部分を取りはずすことが必然であり、前記配線コード４との接合部分にはコネクタ６ａを使用し、脱着可能としている。また前記ブロック５を取り外す際にはマイナスドライバー等の工具を使用して前記ブロック５を取り外せるように前記便座の開口部３ａ周囲の一部には傾斜部３ｅを設け、ガイドとして、前記ブロック５を前記便座３より良好に脱着可能としている。
【００１９】
次に、図５、８に示すように、前記便座３にはヒータ６と前記ヒータ６を制御している温度センサ６ｂを内蔵しており、前記ヒータ６及び前記温度センサ６ｂにつながる各々のコネクタ６ａを介して前記配線コード４と接続されているが、不意に大きな力を加わって前記便座３の係止めしている部分から前記配線コード４が外れ、前記配線コード４の有するコネクタ４ｂが前記便座開口部３ａにあたり前記配線コード４に断線が生じた時でも安全性を考慮して、前記配線コード４の電圧の高い側、即ち前記ヒータ６に接続されているリード線４ｃを長くして、短い前記温度センサ６ｂのリード線４ｄが前記リード線４ｃより先に断線する為に、前記便座３のコネクタ６ａに接続しているリード線を電圧の高い側、即ち前記ヒータ６に接続されているリード線４ｃを短くすることで、前記リード線４ｄが先に断線し、制御により前記温度センサ６ｂの断線を検知して前記ヒータ６への通電を停止することができる。
【００２０】
次に図８に示すように、前記ヒータ６及び前記温度センサ６ｂに各々につながるコネクタ６ａとの間は、リード線６ｃにより接続されており、前記リード線６ｃを前記便座内部に固定する為にテープ６ｄにて固定している。前記テープ６ｄに固定された後の前記リード線６ｃはまとめられ、前記便座上ケース３ｐ内側から出ている突設構造３ｆと前記便座上ケース３ｐ内側の間に配設することで、前記ブロック５を外し前記配線コード４を前記便座３の開口部外より取り出す際に引っ張られることがあっても、前記突設構造３ｆにより前記リード線６ｃの動く方向を一方向に定め、前記突設構造３ｆと前記リード線６ｃとの摩擦により前記テープ６ｄによる固定を良好に保つことができる。また大きな摩擦力を得るために前記便座開口部３ａから便座後方の横方向の壁よりも後方に前記突設構造３ｆを設ける。
【００２１】
また、図９はヒータ６の半面であり、前記ヒータ６は面状であり、前記便座上ケース３ｐは曲面等を有する３次元形状であるので、前記ヒータ６の内外周にはスリット６ｅいれることにより、前記便座上ケースの裏側に良好に貼り付けることを可能としている。
【図面の簡単な説明】
【００２２】
【図１】本発明の（カバー開状態の）トイレ装置を示す斜視図である。
【図２】本発明の（カバー閉状態の）トイレ装置を示す斜視図である。
【図３】本発明にて使用しているヒンジブロックの断面図と正面図である。
【図４】本発明にて使用しているカバーの断面図と正面図である。
【図５】本発明の配線コードとコネクタとの接続を示す斜視図である。
【図６】本発明のブロックを示す平面図である。
【図７】本発明の配線コード、ブロック及び便座開口部を示す断面図である。
【図８】本発明の便座上ケースにコネクタに接続したヒータ貼り付けた一部分を示す平面図である。
【図９】本発明のヒータの内外周にスリットをいれたものを示す平面図である。
【符号の説明】
【００２３】
１…トイレ装置
２…便ふた
３…便座
４…配線コード
５…ブロック
６…ヒータ
１１…ケーシング
１２…ヒンジブロック
１３…カバー
【図１】
2005102844.tif 000003
【図２】
2005102844.tif 000004
【図３】
2005102844.tif 000005
【図４】
2005102844.tif 000006
【図５】
2005102844.tif 000007
【図６】
2005102844.tif 000008
【図７】
2005102844.tif 000009
【図８】
2005102844.tif 000010
【図９】
2005102844.tif 000011